(57)【要約】【課題】ホストコンピュータ側のコマンド発行プログラムの単純化等によりシステムの開発コストを低減させることができ、また、メディア処理装置上の通知手段の応答性を向上させる。【解決手段】ジョブ実行中状態遷移コマンドＣ１を受信すると、照明手段１５８を点灯させＫ１、待機中状態遷移コマンドＣ２を受信すると、照明手段１５８を消灯させるＫ４。また、ジョブ実行中状態遷移コマンドＣ１によってメディア搬送機構１３１の動作状態が「ジョブ実行中」へ遷移し、かつメディア処理装置２００の開閉カバー１０３が開状態の場合に、警報ブザー１６１によって警報音を発生させるＫ２。【選択図】図７
2009076142.tif 000002
【特許請求の範囲】
【請求項１】
メディアを保管するメディア保管部と、
前記メディアにデータの書き込みを行うメディアドライブと、
前記メディア保管部及び前記メディアドライブのドライブトレイへ前記メディアを搬送するメディア搬送機構と、
前記メディア搬送機構が動作中であることを通知する通知手段と、
ホストコンピュータから送信され、前記メディア搬送機構の動作状態を遷移させる状態遷移コマンドに応じて、前記通知手段による通知処理を制御する制御部と、を有することを特徴とするメディア処理装置。
【請求項２】
前記通知手段は、前記メディア処理装置の内部を照らす照明手段を備え、
前記制御部は、前記メディア搬送機構の動作状態を動作中とする状態遷移コマンドを受信すると、前記照明手段を点灯させ、
前記メディア搬送機構の動作状態を非動作中とする状態遷移コマンドを受信すると、前記照明手段を消灯させることを特徴とする請求項１に記載のメディア処理装置。
【請求項３】
前記通知手段は、警報音を発生させる警報音発生手段を備え、
前記制御部は、前記状態遷移コマンドによって前記メディア搬送機構の動作状態が動作中へ遷移し、かつ前記メディア処理装置の開閉カバーが開状態の場合に、前記警報音発生手段によって警報音を発生させることを特徴とする請求項１または２に記載のメディア処理装置。
【請求項４】
メディアを保管するメディア保管部と、前記メディアにデータの書き込みを行うメディアドライブと、前記メディア保管部及び前記メディアドライブのドライブトレイへ前記メディアを搬送するメディア搬送機構と、前記メディア搬送機構が動作中であることを通知する通知手段と、を備えたメディア処理装置と、前記メディア処理装置の動作を制御するホストコンピュータと、を有するメディア処理システムであって、
前記ホストコンピュータは、前記メディア搬送機構の動作状態を遷移させる状態遷移コマンドを送信し、
前記メディア搬送機構の動作を制御する制御部は、前記状態遷移コマンドに応じて、前記通知手段による通知処理を制御することを特徴とするメディア処理システム。
【請求項５】
前記通知手段は、前記メディア処理装置の内部を照らす照明手段を備え、
前記制御部は、前記メディア搬送機構の動作状態を動作中とする状態遷移コマンドを受信すると、前記照明手段を点灯させ、
前記メディア搬送機構の動作状態を非動作中とする状態遷移コマンドを受信すると、前記照明手段を消灯させることを特徴とする請求項４に記載のメディア処理システム。
【請求項６】
前記通知手段は、警報音を発生させる警報音発生手段を備え、
前記制御部は、前記状態遷移コマンドによって前記メディア搬送機構の動作状態が動作中へ遷移し、かつ前記メディア処理装置の開閉カバーが開状態の場合に、前記警報音発生手段によって警報音を発生させることを特徴とする請求項４または５に記載のメディア処理システム。
【請求項７】
メディアを保管するメディア保管部と、前記メディアにデータの書き込みを行うメディアドライブと、前記メディア保管部及び前記メディアドライブのドライブトレイへ前記メディアを搬送するメディア搬送機構と、前記メディア搬送機構が動作中であることを通知する通知手段と、を備えたメディア処理装置と、前記メディア処理装置の動作を制御するホストコンピュータと、を有するメディア処理システムの制御方法であって、
前記ホストコンピュータから前記メディア処理装置へ、前記メディア搬送機構の動作状態を遷移させる状態遷移コマンドを送信するステップと、
前記状態遷移コマンドに応じて、前記通知手段による通知処理を制御することを特徴とするメディア処理システムの制御方法。
【請求項８】
前記通知手段は、前記メディア処理装置の内部を照らす照明手段を備え、
前記ホストコンピュータから前記メディア搬送機構の動作状態を動作中とする状態遷移コマンドを受信するステップと、
前記動作中とする状態遷移コマンドに応じて前記照明手段を点灯させるステップと、
前記ホストコンピュータから前記メディア搬送機構の動作状態を非動作中とする状態遷移コマンドを受信するステップと、
前記非動作中とする状態遷移コマンドに応じて前記前記照明手段を消灯させることを特徴とする請求項７に記載のメディア処理システムの制御方法。
【請求項９】
前記通知手段は、警報音を発生させる警報音発生手段を備え、
前記状態遷移コマンドによって前記メディア搬送機構の動作状態が動作中へ遷移し、かつ前記メディア処理装置の開閉カバーが開状態の場合に、前記警報音発生手段によって警報音を発生させるステップを有することを特徴とする請求項７または８に記載のメディア処理システム。
【発明の詳細な説明】
【技術分野】
【０００１】
本発明は、ＣＤやＤＶＤ等の円板状のメディアに対してデータの読み書きを行い、メディアのレーベル面に印刷を行うメディア処理装置、メディア処理システム及びメディア処理システムの制御方法に関する。
【背景技術】
【０００２】
ＣＤやＤＶＤ等の円板状のメディアに対してデータの読み書きを行うとともに、メディアのレーベル面に印刷を行うメディア処理装置が提案されている（例えば、特許文献１及び特許文献２参照）。
【０００３】
メディア処理装置には、円板状のメディアを保管するメディア保管部と、メディアにデータの書き込みを行うメディアドライブと、メディアのレーベル面に印刷を行うレーベルプリンタと、メディアを把持してメディア保管部、メディアドライブに装備されたドライブトレイのメディア受け渡し位置、及びレーベルプリンタのメディア受け渡し位置に搬送可能なメディア搬送機構などの各種デバイスが備えられている。
【０００４】
メディア処理装置とホストコンピュータとから構成されるメディア処理システムでは、メディア処理装置に備えられたメディアドライブ、レーベルプリンタ、メディア搬送機構の各デバイスの動作がホストコンピュータにより制御されるようになっているものがある。
【０００５】
上記メディア処理装置は、通常、上記の各デバイスを装置ケース内に収容すると共に、装置ケースの前面には開閉カバーが設けられており、開閉カバーを開くと、メディア保管部等へのメディアの出し入れが可能になる。
また、メディア処理装置には、メディア搬送機構による搬送処理中に不用意に開閉カバーが開かれたりすることを防止するために、デバイスの動作中に点灯する表示灯や、デバイスが動作中に開閉カバーが開かれると鳴動する警報ブザーが装備される。
【０００６】
従来、このようなメディア処理装置に装備される表示灯や警報ブザー等の複数の通知手段の動作制御方法として、ホストコンピュータが対応する動作制御コマンドを個別に出力することにより動作制御する方法がある。
そして、このようなメディア処理装置とホストコンピュータとの間のコマンド送受信用の信号線数が、複数の通知手段への動作制御のために増えることを防止するために、ホストコンピュータには各通知手段への動作制御コマンドを時分割で送出させ、処理装置側には、いずれの通知手段へのコマンドかを読み取るデコーダを装備する情報処理方法も提案されている（下記特許文献３参照）。
【０００７】
【特許文献１】特開２０００−２６０１７２号公報
【特許文献２】特開２００２−０５６５８４号公報
【特許文献３】特開平５−２４１６２４号公報
【発明の開示】
【発明が解決しようとする課題】
【０００８】
ところが、メディア処理装置に装備される表示灯や警報ブザー等の複数の通知手段の動作制御を、ホストコンピュータの動作制御コマンドにより行う従来の処理システムでは、ホストコンピュータ側には、例えば、表示灯の点灯、表示灯の消灯、警報ブザーの鳴動、警報ブザーの鳴動停止など、通知手段毎に具体的な動作制御コマンドを各種用意して、それぞれの動作制御コマンドを個別に発行しなければならない。このため、ホストコンピュータにコマンド発行処理させるコマンド発行プログラムの構造が煩雑化して、システムの開発コストが高額化する。
【０００９】
また、ホストコンピュータは、その都度、各通知手段の個別のコマンド発行を行うため、メディア処理装置とホストコンピュータとの間の通信処理回数が増える。その結果、例えば、メディア処理装置内の動作状態の遷移に対応して複数の通知手段を作動させる場合などでは、通信処理時間の影響で、通知手段の応答性の向上が難しい。
【００１０】
本発明は上記課題を解決するためになされたものであって、メディア処理装置の動作状態をオペレータに通知する各種の通知手段の動作制御のために、ホストコンピュータにおけるコマンド発行プログラムの構造が煩雑化することがなく、ホストコンピュータ側に装備するコマンド発行プログラムの単純化等によりシステムの開発コストを低減させることを目的とする。
【００１１】
また、メディア処理装置とホストコンピュータとの間の通信処理回数を低減させて、通信処理時間の影響による通知手段の応答遅れを防止して、メディア処理装置に装備される各通知手段の応答性を向上させることを目的とする。
【課題を解決するための手段】
【００１２】
本発明は上記課題を解決するためになされたものであって、
メディアを保管するメディア保管部と、
前記メディアにデータの書き込みを行うメディアドライブと、
前記メディア保管部及び前記メディアドライブのドライブトレイへ前記メディアを搬送するメディア搬送機構と、
前記メディア搬送機構が動作中であることを通知する通知手段と、
ホストコンピュータから送信され、前記メディア搬送機構の動作状態を遷移させる状態遷移コマンドに応じて、前記通知手段による通知処理を制御する制御部と、を有することを特徴とする。
【００１３】
また、本発明は上記課題を解決するためになされたものであって、メディアを保管するメディア保管部と、前記メディアにデータの書き込みを行うメディアドライブと、前記メディア保管部及び前記メディアドライブのドライブトレイへ前記メディアを搬送するメディア搬送機構と、前記メディア搬送機構が動作中であることを通知する通知手段と、を備えたメディア処理装置と、前記メディア処理装置の動作を制御するホストコンピュータと、を有するメディア処理システムであって、
前記ホストコンピュータは、前記メディア搬送機構の動作状態を遷移させる状態遷移コマンドを送信し、
前記メディア搬送機構の動作を制御する制御部は、前記状態遷移コマンドに応じて、前記通知手段による通知処理を制御することを特徴とする。
【００１４】
また、本発明は上記課題を解決するためになされたものであって、メディアを保管するメディア保管部と、前記メディアにデータの書き込みを行うメディアドライブと、前記メディア保管部及び前記メディアドライブのドライブトレイへ前記メディアを搬送するメディア搬送機構と、前記メディア搬送機構が動作中であることを通知する通知手段と、を備えたメディア処理装置と、前記メディア処理装置の動作を制御するホストコンピュータと、を有するメディア処理システムの制御方法であって、
前記ホストコンピュータから前記メディア処理装置へ、前記メディア搬送機構の動作状態を遷移させる状態遷移コマンドを送信するステップと、
前記状態遷移コマンドに応じて、前記通知手段による通知処理を制御することを特徴とする。
【００１５】
上記構成によれば、ホストコンピュータから送信された状態遷移コマンドに応じて通知手段による通知処理を制御する。このため、例えば表示灯の点灯、表示灯の消灯、警報ブザーの鳴動、警報ブザーの鳴動停止など、通知手段毎に用意された動作制御コマンドを発行する必要がない。したがって、メディア処理装置の動作状態をオペレータに通知する各種の通知手段の動作制御のために、ホストコンピュータにおけるコマンド発行プログラムの構造が煩雑化することがなく、ホストコンピュータ側に装備するコマンド発行プログラムの単純化等によりシステムの開発コストを低減させることができる。
【００１６】
また、メディア処理装置とホストコンピュータとの間の通信処理回数を低減させて、通信処理時間の影響による通知手段の応答遅れを防止して、メディア処理装置に装備される各通知手段の応答性を向上させることができる。
【００１７】
また、本発明のメディア処理装置において、前記通知手段は、前記メディア処理装置の内部を照らす照明手段を備え、
前記制御部は、前記メディア搬送機構の動作状態を動作中とする状態遷移コマンドを受信すると、前記照明手段を点灯させ、
前記メディア搬送機構の動作状態を非動作中とする状態遷移コマンドを受信すると、前記照明手段を消灯させることを特徴とする。
【００１８】
また、本発明のメディア処理システムにおいて、前記通知手段は、前記メディア処理装置の内部を照らす照明手段を備え、
前記制御部は、前記メディア搬送機構の動作状態を動作中とする状態遷移コマンドを受信すると、前記照明手段を点灯させ、
前記メディア搬送機構の動作状態を非動作中とする状態遷移コマンドを受信すると、前記照明手段を消灯させることを特徴とする。
【００１９】
また、本発明のメディア処理システムの制御方法において、前記通知手段は、前記メディア処理装置の内部を照らす照明手段を備え、
前記ホストコンピュータから前記メディア搬送機構の動作状態を動作中とする状態遷移コマンドを受信するステップと、
前記動作中とする状態遷移コマンドに応じて前記照明手段を点灯させるステップと、
前記ホストコンピュータから前記メディア搬送機構の動作状態を非動作中とする状態遷移コマンドを受信するステップと、
前記非動作中とする状態遷移コマンドに応じて前記前記照明手段を消灯させることを特徴とする。
【００２０】
上記構成によれば、ホストコンピュータは、照明手段を点灯・消灯させるための専用の動作制御コマンドを発行する必要がなくなり、状態遷移を示す総括的なコマンドの発行のみで制御することができる。
従って、メディア処理装置内の動作状態等をオペレータに通知する照明手段の動作制御のために、ホストコンピュータにおけるコマンド発行プログラムの構造が煩雑化することがなく、ホストコンピュータ側に装備するコマンド発行プログラムの単純化等によりシステムの開発コストを低減させることができる。
【００２１】
例えば、ホストコンピュータがメディア処理装置にメディア発行処理を実行させるにあたってジョブを発行するが、このジョブを発行する前に予めメディア搬送機構の動作状態を動作中へ遷移させるジョブ実行中状態遷移コマンドを発行させるだけで照明手段を点灯させることができる。これにより、メディア発行処理におけるメディア搬送機構の動作中には、照明手段がメディア処理装置内部を照らすので、オペレータにメディア搬送機構が動作中であることを認識させることができる。また、ジョブの実行が終了したときには、メディア搬送機構の動作状態を非動作中へ遷移させる待機中状態遷移コマンドを発行させるだけで照明手段を消灯させることができる。
【００２２】
なお、メディア搬送機構の動作状態を動作中へ遷移させる状態遷移コマンドは、初期化処理を実行させるにあたって発行される初期化中状態遷移コマンドであってもよい。また、非動作中へ遷移させる状態遷移コマンドは、ジョブを中断するときに発行されるジョブ中断中状態遷移コマンドであってもよい。
【００２３】
また、本発明のメディア処理装置において、前記通知手段は、警報音を発生させる警報音発生手段を備え、
前記制御部は、前記状態遷移コマンドによって前記メディア搬送機構の動作状態が動作中へ遷移し、かつ前記メディア処理装置の開閉カバーが開状態の場合に、前記警報音発生手段によって警報音を発生させることを特徴とする。
【００２４】
また、本発明のメディア処理システムにおいて、前記通知手段は、警報音を発生させる警報音発生手段を備え、
前記制御部は、前記状態遷移コマンドによって前記メディア搬送機構の動作状態が動作中へ遷移し、かつ前記メディア処理装置の開閉カバーが開状態の場合に、前記警報音発生手段によって警報音を発生させることを特徴とする。
【００２５】
また、本発明のメディア処理システムの制御方法において、前記通知手段は、警報音を発生させる警報音発生手段を備え、
前記状態遷移コマンドによって前記メディア搬送機構の動作状態が動作中へ遷移し、かつ前記メディア処理装置の開閉カバーが開状態の場合に、前記警報音発生手段によって警報音を発生させるステップを有することを特徴とする。
【００２６】
上記構成によれば、メディア搬送機構の動作状態が動作中であり、かつ開閉カバーが開状態であれば警報音が鳴るよう構成されている。つまり、メディア搬送機構の動作状態が非動作中へ遷移すれば、警報音は停止する。また、メディア搬送機構の動作状態が非動作中のときに、開閉カバーが開状態にあって警報音が停止されていても、メディア搬送機構の動作状態が動作中へ遷移すれば、警報音が鳴りだす。すなわち、ホストコンピュータは、警報音発生手段を発生・停止させるための専用の動作制御コマンドを発行する必要がなくなり、状態遷移を示す総括的なコマンドの発行のみで制御することができる。
【発明を実施するための最良の形態】
【００２７】
以下、本発明に係るメディア処理装置の好適な実施の形態について、図面を参照して詳細に説明する。
図１は本発明に係るメディア処理システムの一実施形態の概略構成を示すブロック図、図２は図１に示したメディア処理装置の外観斜視図、図３は図２に示したメディア処理装置の開閉カバーを開いた状態の斜視図、図４は図２に示したメディア処理装置内における各種のデバイス配置を示す斜視図、図５は図４に示したメディア搬送機構の拡大斜視図、図６は図２に示したメディア処理装置内のメディア搬送機構の動きを示す説明図である。
【００２８】
図１に示したメディア処理システムは、ＣＤやＤＶＤ等の円板状のメディアに対してデータの読み書きを行うとともに、メディアのレーベル面に印刷を行うもので、メディア処理装置２００と、ホストコンピュータ１００と、から構成されている。
【００２９】
メディア処理装置２００には、図２から図４に示すように、ＣＤやＤＶＤ等の円板状のメディアを保管する第１〜第４の４つのメディア保管部１２１，１２２，１７１，１７２と、メディアにデータの書き込みを行う２台のメディアドライブ１４１,１４１と、メディアのレーベル面に印刷を行うレーベルプリンタ１１１と、メディアを把持して上記のメディア保管部１２１，１２２，１７１，１７２、メディアドライブ１４１,１４１に装備されたドライブトレイ１４１ａ,１４１ａのメディア受け渡し位置Ａ、及び前記レーベルプリンタ１１１のメディア受け渡し位置に搬送可能なメディア搬送機構１３１と、を備えている。
【００３０】
そして、メディア処理装置２００に備えられたメディアドライブ１４１、レーベルプリンタ１１１、メディア搬送機構１３１の動作は、ホストコンピュータ１００により制御可能になっている。
【００３１】
図４では、メディア処理装置２００の外壁である略直方体形状の装置ケース１０２を省略して、内部におけるデバイス配置を示しているが、装置ケース１０２の前面には図２及び図３に示すように、開閉可能な開閉カバー１０３が取り付けられている。開閉カバー１０３には、当該カバーを開かなくとも内部が透視可能なように、透明ガラス板又は透明樹脂板で形成された内部確認窓１０３ａが設けられている。更に、装置ケース１０２の上部には、図２に示すように、ＬＥＤを利用した表示灯１０５ａ、操作ボタン１０５ｂ等が配列された操作面１０５が設けられている。
【００３２】
装置ケース１０２の前面に装備される開閉カバー１０３を開くと、図４に示したメディア保管部１２１，１２２，１７１，１７２や、レーベルプリンタ１１１などが装置前面に露出した状態になり、オペレータが各メディア保管部１２１，１２２，１７１，１７２にメディアを出し入れ可能になる。
【００３３】
前述した第１〜第４の４つのメディア保管部１２１，１２２，１７１，１７２は、基本的な用途が決まっている。図４に示すように、右上に位置する第１のメディア保管部１２１は、基本的には、複数枚（例えば５０枚）のブランクメディア（データ書き込み処理が行われていない未使用のメディア）を上下に積層状態で収納する供給元スタッカとして使用されるが、データの書き込み処理又はレーベル印刷処理を済ませた処理済みメディアの収納にも利用可能になっている。
【００３４】
第１のメディア保管部１２１の直下に位置している第２のメディア保管部１２２と、この第２のメディア保管部１２２の左側に位置している第４のメディア保管部１７２は、基本的には、データの書き込み処理又はレーベル印刷処理を済ませた複数枚（例えば５０枚）の処理済みメディアを上下に積層状態で収納する排出先スタッカとして使用されるが、ブランクメディアの収納にも利用可能になっている。
【００３５】
第４のメディア保管部１７２は、手桶形で、着脱可能に第３のメディア保管部１７１にセットされている。第３のメディア保管部１７１は、メディア処理装置前方に引き出し可能に取り付けられた引出トレイ１７０に形成された凹みで、少数のメディアの収納に利用される。
【００３６】
メディア搬送機構１３１は、図４から図６に示すように、装置ケース１０２内に略垂直に設けられた垂直ガイド軸１３５と、この垂直ガイド軸１３５上を昇降および旋回可能な搬送アーム１３６とから構成されており、搬送アーム１３６の先端部中央には、メディアの中央開口部を把持する把持爪１５１が設けられている。
【００３７】
搬送アーム１３６は、図５に示すように、その一部が、昇降用モータ１５２により垂直ガイド軸１３５の後方を回転走行するタイミングベルト１５３に連結されており、タイミングベルト１５３の走行に応じて、垂直ガイド軸１３５上を昇降する。
また、搬送アーム１３６は、垂直ガイド軸１３５の下端に旋回可能に取り付けられている水平支持板部１５４に一体化されており、水平支持板部１５４上に固定されている不図示の扇形歯車が旋回用モータ１５５によって垂直ガイド軸１３５の周囲を回転駆動されることで、垂直ガイド軸１３５の周囲を旋回する。
【００３８】
搬送アーム１３６の把持爪１５１の周辺には、メディアの存在を検出するメディア検出器１５６と、下向きに照明光１５８ａを照射する照明手段１５８が設けられている。
メディア検出器１５６は、搬送アーム１３６の下面から退出可能に突設されており、搬送アーム１３６がメディア保管部等のメディアの上に降下し、メディアに当接して搬送アーム１３６内に押し込まれると、それによりメディアの存在を検出する。
【００３９】
搬送アーム１３６に装備された照明手段１５８は、点灯によりメディア搬送機構１３１がジョブ実行中であることをオペレータに通知する通知手段として装備されている。照明手段１５８が点灯しているときの照明光１５８ａは、図２に示すように、開閉カバー１０３の外側から内部確認窓１０３ａ越しにも確認可能である。
【００４０】
以上の搬送アーム１３６は、図６に矢印Ａ〜Ｈで示す旋回動作と、矢印Ｉ，Ｊに示す昇降動作とを組み合わせることによって、図中に〔１〕から〔６〕で示すポイントに把持爪の位置を移動させて、前述した各メディア保管部１２１，１２２，１７１，１７２と、メディアドライブ１４１に装備されたドライブトレイ１４１ａのメディア受け渡し位置Ａと、レーベルプリンタ１１１のメディア受け渡し位置との間でのメディアの搬送を行う。
【００４１】
なお、図６に示した〔１〕から〔６〕のポイントについて補足説明すると、〔１〕は搬送アーム１３６のＨＰ（ホームポジション）の位置（待機位置）、〔２〕は第１のメディア保管部１２１の位置、〔３〕はＨＰから第１のメディア保管部１２１の間の任意の位置、〔４〕は中間地点、〔５〕は第２のメディア保管部１２２の位置、〔６〕は中間地点から第２のメディア保管部１２２の間の任意の位置、を意味する。
【００４２】
メディア処理装置２００は、図６に示すように、メディア搬送機構１３１の駆動制御を行うメディア搬送機構制御部１９０を備えている。このメディア搬送機構制御部１９０は、ホストコンピュータ１００との通信が可能で、ホストコンピュータ１００から送信される搬送アーム１３６の移動コマンドに応じて搬送アーム１３６の移動制御を行うファームウエアが搭載されていて、ホストコンピュータ１００から送信される搬送アーム１３６の移動コマンドに応じて前述したメディアの搬送処理を行うことができる。
【００４３】
本実施形態のメディア処理システムの場合、ホストコンピュータ１００は、メディア処理装置２００のメディア搬送機構１３１が遷移する動作状態を状態遷移コマンドによって設定することができる。
メディア搬送機構１３１の動作状態は、ホストコンピュータ１００からの指示待ち状態であるときは「待機中」（非動作中）、ホストコンピュータ１００から発行されたジョブの実行中であるときは「ジョブ実行中」（動作中）、ジョブの実行を中断したときは「ジョブ中断中」（非動作中）、メディア処理装置２００の電源がＯＮされた場合等に行われる初期化処理の実行中であるときは「初期化中」（動作中）にそれぞれ遷移する。本実施形態では、状態遷移コマンドに応じて、各動作状態へ遷移する。
【００４４】
「ジョブ実行中」状態とは、例えば、１枚のメディア発行処理においてホストコンピュータ１００から発行されるジョブに応じてメディア搬送機構が動作中にある状態をいう。例えば、１枚のメディア発行処理を行うジョブには少なくとも以下のコマンドが含まれる。
搬送アーム１３６をメディア保管部１２１へ移動させるコマンド：ａ
メディア保管部１２１からメディアを１枚ピックアップするコマンド：ｂ
メディアをピックアップした搬送アーム１３６をメディアドライブ１４１のメディア受け渡し位置Ａへ移動させるコマンド：ｃ
メディアドライブ１４１のメディアトレイ１４１ａを引き出すコマンド：ｄ
メディア受け渡し位置Ａでピックアップしているメディアをリリースするコマンド：ｅ
データが書き込まれたメディアをメディア受け渡し位置Ａにあるメディアトレイ１４１ａからピックアップするコマンド：ｆ
メディアをピックアップした搬送アーム１３６をレーベルプリンタ１１１の受け渡し位置まで移動させるコマンド：ｇ
レーベルプリンタ１１１のメディアトレイを引き出すコマンド：ｈ
レーベルプリンタ１１１のメディア受け渡し位置でピックアップしているメディアをリリースするコマンド：ｉ
レーベル印刷が行われたメディアをメディアトレイからピックアップするコマンド：ｊ
メディアをピックアップした搬送アーム１３６を排出先として指定されたメディア保管部１２２へ移動させるコマンド：ｋ
メディア保管部１２２でピックアップしているメディアをリリースするコマンド：ｌ
【００４５】
上記コマンドａからコマンドｌの１２個のコマンドを１つのジョブとすると、このジョブを発行するにあたって、ホストコンピュータ１００はメディア搬送機構１３１の動作状態を「ジョブ実行中」へ移行させるべくジョブ実行中状態遷移コマンドを送信する。
また、ジョブの実行が終了すると、メディア搬送機構１３１の動作状態を「待機中」へ移行させるべく待機中状態遷移コマンドを送信する。
【００４６】
その他、メディア搬送機構１３１の動作状態を「ジョブ中断中」へ移行させるための状態遷移コマンド（メディア搬送機構１３１の動作状態を非動作中とする状態遷移コマンド）、メディア搬送機構１３１の動作状態を「初期化中」へ移行させるための状態遷移コマンド（メディア搬送機構１３１の動作状態を動作中とする状態遷移コマンド）等がある。
以下では、特に「ジョブ実行中」へ遷移させるための状態遷移コマンドと、「待機中」へ遷移させるための状態遷移コマンドについて説明する。
【００４７】
一方、メディア処理装置２００のメディア搬送機構制御部１９０では、ホストコンピュータ１００から送信された状態遷移コマンドに応じて、通知手段の動作を制御する。
本実施の形態の場合、通知手段は、メディア搬送機構の動作状態や操作指示（警報）等をオペレータに通知する手段であって、搬送アーム１３６上に装備された照明手段１５８や、「ジョブ実行中」に開閉カバー１０３が開かれた時に鳴動により警告する警報ブザー１６１（図７参照（警報音発生手段））が該当する。
【００４８】
図７は、ホストコンピュータ１００からの状態遷移コマンドに応じた各通知手段の動作を示している。
ホストコンピュータ１００からジョブ実行中状態遷移コマンドＣ１を受けると、メディア搬送機構制御部１９０は、直ちに内部照明具である照明手段１５８を点灯させて（図中のＫ１）、オペレータに「ジョブ実行中」であることを通知する。また、メディア搬送機構制御部１９０は開閉カバー１０３の開閉を監視していて、開閉カバー１０３が開かれると（図中のＤ１）、直ちに警報ブザー１６１を鳴動させ（図中のＫ２）、「ジョブ実行中」のためカバーを開けてはいけないことをオペレータに通知する。
【００４９】
警報ブザー１６１の鳴動により「ジョブ実行中」であることに気が付いたオペレータが、開閉カバー１０３を閉じると（図中のＤ２）、それを検出したメディア搬送機構制御部１９０は警報ブザー１６１の鳴動を停止する（図中のＫ３）。
【００５０】
一方、メディア搬送機構制御部１９０は、メディア発行処理においてホストコンピュータ１００から発行された一連のジョブの実行が終了すると、ホストコンピュータ１００へジョブ終了を通知する。ホストコンピュータ１００は、ジョブ終了の通知に応じてジョブ実行を終えたメディア搬送機構１３１バイスの動作状態を待機状態へ遷移させるため、メディア搬送機構制御部１９０へ待機中状態遷移コマンドＣ２を送る。
【００５１】
待機中状態遷移コマンドＣ２を受けたメディア搬送機構制御部１９０は、図７に示すように、「ジョブ実行中」のときに点灯していた照明手段１５８を直ちに消灯させて（図中のＫ４）、オペレータに待機中であることを通知する。また、メディア搬送機構制御部１９０は、動作状態が「待機中」状態のときは開閉カバー１０３が開かれても（図中のＤ１）警報ブザー１６１が鳴らないように、警報ブザー１６１の動作制御をし、警報ブザー１６１を非鳴動状態に維持する（図中のＫ５）。
【００５２】
以上説明した一実施の形態のメディア処理システムによれば、メディア処理装置２００にメディア発行処理を実行させるためホストコンピュータ１００からジョブを発行する際には、予めホストコンピュータ１００からメディア搬送機構１３１に対して、メディア搬送機構１３１の動作状態が「待機中」から「ジョブ実行中」へ状態遷移するためのジョブ実行中状態遷移コマンドＣ１を送信する。
【００５３】
ジョブ実行中状態遷移コマンドＣ１を受けたメディア搬送機構１３１は、ジョブ実行中に動作すべき各通知手段１５８，１６１を作動させる。
【００５４】
一方、メディア搬送機構１３１を「待機中」状態に状態遷移させる場合も同様である。ホストコンピュータ１００が、「ジョブ実行中」状態から「待機中」状態へ状態遷移することを示す待機中状態遷移コマンドＣ２をメディア搬送機構１３１に送る。これに応じて、関連する通知手段１５８，１６１の動作を停止させる。
【００５５】
すなわち、ホストコンピュータ１００は、通知手段１５８，１６１毎に個別に、専用の動作制御コマンドを発行する必要がなくなり、状態遷移を示す総括的なコマンドの発行のみで、各種の通知手段１５８，１６１を動作制御することができる。
【００５６】
したがって、各種の通知手段の動作制御のために、ホストコンピュータ１００におけるコマンド発行プログラムの構造が煩雑化することがなく、ホストコンピュータ側に装備するコマンド発行プログラムの単純化等によりシステムの開発コストを低減させることができる。
【００５７】
また、メディア処理装置２００とホストコンピュータ１００との間の通信処理回数を低減させることができ、複数の通知手段１５８，１６１を作動させる場合でも、通信処理時間の影響による通知手段１５８，１６１の応答遅れを防止し、メディア処理装置２００に装備される各通知手段１５８，１６１の応答性を向上させることができる。
【００５８】
また、上記一実施の形態のメディア処理システムでは、通知手段として、メディア搬送機構１３１の動作中を示す照明手段１５８を備えており、照明手段１５８の応答性が向上するため、オペレータは表示灯の点灯／消灯によってメディア搬送機構１３１の動作状態を確認し易くなる。
【００５９】
また、通知手段として、メディア搬送機構１３１の動作中に開閉カバー１０３が開かれた時に警報を鳴らす警報ブザー１６１を備えていて、該警報ブザー１６１の応答性が向上するため、メディア搬送機構１３１の動作中にオペレータが誤って開閉カバー１０３を開いてしまった時も、警報ブザー１６１の鳴動により、誤操作を速やかに気付かせることができる。
【００６０】
なお、ホストコンピュータ１００からの状態遷移コマンドに応じて動作制御する通知手段は、上記実施の形態に示した照明手段１５８及び警報ブザー１６１に限らない。
必要に応じて、例えば操作面１０５上の表示灯１０５ａも上記通知手段に含めることも考えられ、また、遷移した状態の経過時間を経時するタイマー等を上記通知手段として追加することも考えられる。
【図面の簡単な説明】
【００６１】
【図１】本発明に係るメディア処理システムの一実施形態の概略構成を示すブロック図である。
【図２】図１に示したメディア処理装置の外観斜視図である。
【図３】図２に示したメディア処理装置の開閉カバーを開いた状態の斜視図である。
【図４】図２に示したメディア処理装置内における各種のデバイス配置を示す斜視図である。
【図５】図４に示したメディア搬送機構の拡大斜視図である。
【図６】図２に示したメディア処理装置内のメディア搬送機構の動きを示す説明図である。
【図７】ホストコンピュータからの状態遷移コマンドに応じた各通知手段の動作説明図である。
【符号の説明】
【００６２】
１００：ホストコンピュータ、１０２：装置ケース、１０３：開閉カバー、１０５：操作面、１０５ａ：表示灯、１１１：レーベルプリンタ、１２１，１２２，１７１，１７２：メディア保管部、１３１：メディア搬送機構、１４１：メディアドライブ、１４１ａ：ドライブトレイ、１５１：把持爪、１５２：昇降用ステッピングモータ、１５３：タイミングベルト、１５５：旋回用モータ、１５６：メディア検出器、１５６ａ：検出子、１５８：照明手段（通知手段）、１５８ａ：照明光、１６１：警報ブザー（通知手段）、２００：メディア処理装置、Ｃ１，Ｃ２：状態遷移コマンド
【図１】
2009076142.tif 000003
【図２】
2009076142.tif 000004
【図３】
2009076142.tif 000005
【図４】
2009076142.tif 000006
【図５】
2009076142.tif 000007
【図６】
2009076142.tif 000008
【図７】
2009076142.tif 000009